(57)【特許請求の範囲】
【請求項１】
回転軸と一体的に回転するように、かつ前記回転軸に対して傾角可変に制御圧室に収容された斜板、及び前記斜板の傾角に応じた往復動作を行なうピストンを備え、吐出圧領域から前記制御圧室へ冷媒を供給すると共に、前記制御圧室から吸入圧領域へ冷媒を抜き出し、前記吐出圧領域から前記制御圧室に至る冷媒供給通路上又は前記制御圧室から前記吸入圧領域に至る冷媒抜き出し通路上に電気式容量制御弁を介在し、前記電気式容量制御弁に対する供給電流値を制御して前記吐出圧領域から前記制御圧室への冷媒供給量又は前記制御圧室から前記吸入圧領域への冷媒抜き出し量を制御し、前記制御圧室内の圧力の制御に基づいて前記斜板の傾角を制御する可変容量型圧縮機において、
前記電気式容量制御弁に対する電流供給を開始するときには、指定された供給電流値を供給開始するまでの過程として前記斜板の最大傾角位置での傾角増大速度を抑制するための緩衝用電流供給開始制御を行ない、
前記緩衝用電流供給開始制御は、供給電流値零から指定された指定供給電流値まで供給電流値を増大するものであって、供給電流値零から前記指定供給電流値に達しない増大飛躍限界供給電流値へ供給電流値を不連続的に切り換える供給電流値切り換え状態と、前記増大飛躍限界供給電流値から前記指定供給電流値まで供給電流値を徐々に増大する電流増大供給状態とを含む可変容量型圧縮機における容量制御方法。
【請求項２】
回転軸と一体的に回転するように、かつ前記回転軸に対して傾角可変に制御圧室に収容された斜板、及び前記斜板の傾角に応じた往復動作を行なうピストンを備え、吐出圧領域から前記制御圧室へ冷媒を供給すると共に、前記制御圧室から吸入圧領域へ冷媒を抜き出し、前記吐出圧領域から前記制御圧室に至る冷媒供給通路上又は前記制御圧室から前記吸入圧領域に至る冷媒抜き出し通路上に電気式容量制御弁を介在し、前記電気式容量制御弁に対する供給電流値を制御して前記吐出圧領域から前記制御圧室への冷媒供給量又は前記制御圧室から前記吸入圧領域への冷媒抜き出し量を制御し、前記制御圧室内の圧力の制御に基づいて前記斜板の傾角を制御する可変容量型圧縮機において、
前記電気式容量制御弁に対する電流供給を停止するときには、供給電流値を零とするまでの過程として前記斜板の最小傾角位置での傾角減少速度を抑制するための緩衝用電流供給停止制御を行ない、
前記緩衝用電流供給停止制御は、指定された指定供給電流値から供給電流値零まで供給電流値を減少するものであって、前記指定供給電流値から前記指定供給電流値に達しない減少飛躍限界供給電流値へ供給電流値を不連続的に切り換える供給電流値切り換え状態と、前記減少飛躍限界供給電流値から供給電流値零まで供給電流値を徐々に減少する電流減少供給状態とを含む可変容量型圧縮機における容量制御方法。
【請求項３】
回転軸と一体的に回転するように、かつ前記回転軸に対して傾角可変に制御圧室に収容された斜板、及び前記斜板の傾角に応じた往復動作を行なうピストンを備え、吐出圧領域から前記制御圧室へ冷媒を供給すると共に、前記制御圧室から吸入圧領域へ冷媒を抜き出し、前記吐出圧領域から前記制御圧室に至る冷媒供給通路上又は前記制御圧室から前記吸入圧領域に至る冷媒抜き出し通路上に電気式容量制御弁を介在し、前記電気式容量制御弁に対する供給電流値を制御して前記吐出圧領域から前記制御圧室への冷媒供給量又は前記制御圧室から前記吸入圧領域への冷媒抜き出し量を制御し、前記制御圧室内の圧力の制御に基づいて前記斜板の傾角を制御する可変容量型圧縮機において、
前記電気式容量制御弁に対する電流供給の開始を指令する電流供給開始指令手段と、
前記斜板の最大傾角位置での傾角増大速度を抑制するための緩衝用電流供給開始制御を行なう緩衝用電流供給開始制御手段と、
供給電流値を指定する供給電流値指定手段と、
前記指定供給電流値に達しない増大飛躍限界供給電流値を指定する増大飛躍限界供給電流値指定手段とを備え、
前記緩衝用電流供給開始制御手段は、前記電流供給開始指令手段の電流供給開始指令に基づいて前記緩衝用電流供給開始制御を行ない、前記供給電流値指定手段によって指定された指定供給電流値まで供給電流値零から供給電流値を増大するものであって、供給電流値零から前記増大飛躍限界供給電流値指定手段によって指定された増大飛躍限界供給電流値へ供給電流値を不連続的に切り換え、前記増大飛躍限界供給電流値から前記指定供給電流値まで供給電流値を徐々に増大する電流供給開始制御を行なう可変容量型圧縮機における容量制御装置。
【請求項４】
回転軸と一体的に回転するように、かつ前記回転軸に対して傾角可変に制御圧室に収容された斜板、及び前記斜板の傾角に応じた往復動作を行なうピストンを備え、吐出圧領域から前記制御圧室へ冷媒を供給すると共に、前記制御圧室から吸入圧領域へ冷媒を抜き出し、前記吐出圧領域から前記制御圧室に至る冷媒供給通路上又は前記制御圧室から前記吸入圧領域に至る冷媒抜き出し通路上に電気式容量制御弁を介在し、前記電気式容量制御弁に対する供給電流値を制御して前記吐出圧領域から前記制御圧室への冷媒供給量又は前記制御圧室から前記吸入圧領域への冷媒抜き出し量を制御し、前記制御圧室内の圧力の制御に基づいて前記斜板の傾角を制御する可変容量型圧縮機において、
前記電気式容量制御弁に対する電流供給の停止を指令する電流供給停止指令手段と、
前記斜板の最小傾角位置での傾角減少速度を抑制するための緩衝用電流供給停止制御を行なう緩衝用電流供給停止制御手段と、
供給電流値を指定する供給電流値指定手段と、
減少飛躍限界供給電流値を指定する減少飛躍限界供給電流値指定手段とを備え、
前記緩衝用電流供給停止制御手段は、前記電流供給停止指令手段の電流供給停止指令に基づいて前記緩衝用電流供給停止制御を行ない、前記供給電流値指定手段によって指定された指定供給電流値から供給電流値零まで供給電流値を減少するものであって、前記指定供給電流値から前記減少飛躍限界供給電流値指定手段によって指定された減少飛躍限界供給電流値へ供給電流値を不連続的に切り換え、前記減少飛躍限界供給電流値から供給電流値零まで供給電流値を徐々に減少する電流供給停止制御を行なう可変容量型圧縮機における容量制御装置。
【発明の詳細な説明】
【０００１】
【発明の属する技術分野】
本発明は、可変容量型圧縮機における容量制御方法及び装置に関するものである。
【０００２】
【従来の技術】
特開平８−３３８３６４号公報に開示される可変容量型圧縮機では、クランク室の圧力と吸入圧領域の吸入圧との差圧に基づいて吐出容量を変えるようになっている。クランク室の圧力は、吐出圧領域である吐出室からクランク室へ冷媒を供給すると共に、クランク室から吸入圧領域である吸入室へ冷媒を抜き出して調整される。吐出室からクランク室へ冷媒を供給するための圧力供給通路上には容量制御用の電磁弁が介在されている。電磁弁の弁体は、ソレノイドの励磁によって閉弁位置側へ付勢される。電磁弁に対する供給電流値は、予め設定された設定室温と検出された検出室温との比較に基づいて決定されるようになっている。設定室温と検出室温との差が大きいほど供給電流値が大きくされ、電磁弁における弁開度が小さくなる。弁開度が小さくなるほど斜板傾角が大きくなり、吐出容量が大きくなる。弁体が閉弁位置に配置されると圧力供給通路が閉じられ、吐出室からクランク室への冷媒供給が停止する。そのため、斜板の傾角が最大傾角となる。ソレノイドが消磁されると弁体が弁開度最大位置の側へ移行し、吐出室からクランク室への冷媒供給が増える。そのため、クランク室内の圧力が増大し、斜板の傾角が最小になる。斜板の最小傾角状態では斜板の傾動に連動する遮断体が吸入通路を閉じ、外部冷媒回路における冷媒循環が停止する。この冷媒循環停止状態は熱負荷低減作用のない状態である。
【０００３】
【発明が解決しようとする課題】
通常、空調装置作動スイッチをＯＮしたときには設定室温と検出室温との差が大きく、電磁弁に対する供給電流値は空調装置作動スイッチのＯＮ時から大きな値となる。そのため、斜板傾角が最小傾角から急激に増大し、斜板が選択された供給電流値に対応した斜板傾角位置を通り越して最大傾角位置まで迅速に移行してしまう場合がある。このような通り越しは、斜板の最大傾角を規定する部材と斜板との衝突をもたらし、衝突音が発生する。又、設定室温と検出室温との差が大きい状態のときに空調装置作動スイッチをＯＦＦすると、電磁弁に対する供給電流値が大きな値から零へ瞬間的に切り換わる。そのため、斜板傾角が大きな傾角から急激に減少し、斜板が最小傾角位置まで迅速に移行する。このような迅速な移行は斜板の最小傾角を規定する部材と斜板との衝突をもたらし、衝突音が発生する。
【０００４】
本発明は、容量制御弁に対する電流供給開始時あるいは電流供給停止時の前記ような衝突音の発生を防止することを目的とする。
【０００５】
【課題を解決するための手段】
そのために本発明は、回転軸と一体的に回転するように、かつ前記回転軸に対して傾角可変に制御圧室に収容された斜板、及び前記斜板の傾角に応じた往復動作を行なうピストンを備え、吐出圧領域から前記制御圧室へ冷媒を供給すると共に、前記制御圧室から吸入圧領域へ冷媒を抜き出し、前記吐出圧領域から前記制御圧室に至る冷媒供給通路上又は前記制御圧室から前記吸入圧領域に至る冷媒抜き出し通路上に電気式容量制御弁を介在し、前記電気式容量制御弁に対する供給電流値（単位時間当たり）を制御して前記吐出圧領域から前記制御圧室への冷媒供給量又は前記制御圧室から前記吸入圧領域への冷媒抜き出し量を制御し、前記制御圧室内の圧力の制御に基づいて前記斜板の傾角を制御する可変容量型圧縮機を対象とし、請求項１の発明では、前記電気式容量制御弁に対する電流供給を開始するときには、指定された供給電流値を供給開始するまでの過程として前記斜板の最大傾角位置での傾角増大速度を抑制するための緩衝用電流供給開始制御を行なうようにした。
【０００６】
また、前記緩衝用電流供給開始制御は、供給電流値零から指定された指定供給電流値まで供給電流値を増大するようにした。
【０００７】
さらに、前記緩衝用電流供給開始制御は、供給電流値零から前記指定供給電流値に達しない増大飛躍限界供給電流値へ供給電流値を不連続的に切り換える供給電流値切り換え状態と、前記増大飛躍限界供給電流値から前記指定供給電流値まで供給電流値を徐々に増大する電流増大供給状態とを含むようにした。
【０００８】
請求項２の発明では、前記電気式容量制御弁に対する電流供給を停止するときには、供給電流値を零とするまでの過程として前記斜板の最小傾角位置での傾角減少速度を抑制するための緩衝用電流供給停止制御を行なうようにした。
【０００９】
また、前記緩衝用電流供給停止制御は、指定された指定供給電流値から供給電流値零まで供給電流値を減少するようにした。
【００１０】
さらに、前記緩衝用電流供給停止制御は、前記指定供給電流値から前記指定供給電流値に達しない減少飛躍限界供給電流値へ供給電流値を不連続的に切り換える供給電流値切り換え状態と、前記減少飛躍限界供給電流値から供給電流値零まで供給電流値を徐々に減少する電流減少供給状態とを含むようにした。
【００１１】
請求項３の発明では、前記電気式容量制御弁に対する電流供給の開始を指令する電流供給開始指令手段と、前記斜板の最大傾角位置での傾角増大速度を抑制するための緩衝用電流供給開始制御を行なう緩衝用電流供給開始制御手段と、供給電流値を指定する供給電流値指定手段と、前記指定供給電流値に達しない増大飛躍限界供給電流値を指定する増大飛躍限界供給電流値指定手段とを備えた容量制御装置を構成し、前記緩衝用電流供給開始制御手段は、前記電流供給開始指令手段の電流供給開始指令に基づいて前記緩衝用電流供給開始制御を行なうようにした。
【００１２】
また、前記緩衝用電流供給開始制御手段は、前記供給電流値指定手段によって指定された指定供給電流値まで供給電流値零から供給電流値を増大するようにした。
【００１３】
さらに、前記緩衝用電流供給開始制御手段は、供給電流値零から前記指定供給電流値に達しない増大飛躍限界供給電流値へ供給電流値を不連続的に切り換え、前記増大飛躍限界供給電流値から前記指定供給電流値まで供給電流値を徐々に増大する電流供給開始制御を行なうようにした。
請求項４の発明では、前記電気式容量制御弁に対する電流供給の停止を指令する電流供給停止指令手段と、前記斜板の最小傾角位置での傾角減少速度を抑制するための緩衝用電流供給停止制御を行なう緩衝用電流供給停止制御手段と、供給電流値を指定する供給電流値指定手段と、減少飛躍限界供給電流値を指定する減少飛躍限界供給電流値指定手段とを備えた容量制御装置を構成し、前記緩衝用電流供給停止制御手段は、前記電流供給停止指令手段の電流供給停止指令に基づいて前記緩衝用電流供給停止制御を行なうようにした。
【００１４】
また、前記緩衝用電流供給停止制御手段は、前記供給電流値指定手段によって指定された指定供給電流値から供給電流値零まで供給電流値を減少するようにした。
【００１５】
さらに、前記緩衝用電流供給停止制御手段は、前記指定供給電流値から前記指定供給電流値に達しない減少飛躍限界供給電流値へ供給電流値を不連続的に切り換え、前記減少飛躍限界供給電流値から供給電流値零まで供給電流値を徐々に減少する電流供給停止制御を行なうようにした。
【００１６】
請求項１及び請求項３の発明では、電気式容量制御弁に対する電流供給が開始されるときには緩衝用電流供給開始制御が行なわれ、斜板傾角の急激な増大が抑制される。緩衝用電流供給開始制御による斜板傾角の急激な増大の抑制は、斜板の最大傾角位置への不要な到達の回避、あるいは斜板が最大傾角位置へ到達したときの傾角増大速度の抑制をもたらす。
【００１７】
また、供給電流値零から指定された供給電流値まで供給電流値を増大する電流増大供給が行われる。
【００１８】
さらに、供給電流値が零から前記指定供給電流値に達しない増大飛躍限界供給電流値へ不連続的に切り換えられた後、増大飛躍限界供給電流値から前記指定供給電流値まで供給電流値を徐々に増大する電流増大供給が行われる。供給電流値を徐々に増大する電流増大供給状態を含む電流供給状態は、斜板傾角の急激な増大を抑制する。供給電流値零から増大飛躍限界供給電流値への供給電流値の不連続的な切り換えは、吐出容量の速やかな増大に寄与する。
【００１９】
請求項２及び請求項４の発明では、電気式容量制御弁に対する電流供給が停止されるときには緩衝用電流供給停止制御が行なわれ、斜板傾角の急激な減少が抑制される。緩衝用電流供給停止制御による斜板傾角の急激な減少の抑制は、斜板が最小傾角位置へ到達したときの傾角減少速度の抑制をもたらす。
【００２０】
また、指定された供給電流値から供給電流値零まで供給電流値を減少する電流減少供給が行われる。
【００２１】
さらに、供給電流値が指定供給電流値から減少飛躍限界供給電流値へ不連続的に切り換えられた後、減少飛躍限界供給電流値から供給電流値零まで供給電流値を徐々に減少する電流減少供給が行われる。供給電流値を徐々に減少する電流減少供給状態を含む電流供給状態は、斜板傾角の急激な減少を抑制する。指定供給電流値から増大飛躍限界供給電流値への不連続的な切り換えは、吐出容量の速やかな減少に寄与する。
【００２２】
【発明の実施の形態】
以下、車両に搭載したクラッチレス可変容量型圧縮機に本発明を具体化した第１の実施の形態を図１〜図６に基づいて説明する。
【００２３】
図１に示すように、シリンダブロック１１の前端にはフロントハウジング１２が接合されている。シリンダブロック１１の後端にはリヤハウジング１３がバルブプレート１４、弁形成プレート１５，１６及びリテーナ形成プレート１７を介して接合固定されている。制御圧室１２１を形成するフロントハウジング１２とシリンダブロック１１との間に架設支持された回転軸１８は、車両エンジン（図示略）から回転駆動力を得る。
【００２４】
回転軸１８には斜板２０が回転軸１８の軸線方向へスライド可能かつ傾動可能に支持されている。図４に示すように、斜板２０に止着されたガイドピン２３，２４の頭部は、回転軸１８に止着された回転支持体１９のガイド孔１９１，１９２にスライド可能に嵌入されている。斜板２０は、ガイド孔１９１，１９２とガイドピン２３，２４との連係により回転軸１８の軸線方向へ傾動可能かつ回転軸１８と一体的に回転可能である。斜板２０の半径中心部がシリンダブロック１１側へ移動すると、斜板２０の傾角が減少する。回転支持体１９と斜板２０との間に介在された傾角減少ばね２５は斜板２０の傾角を減少する方向へ斜板２０を付勢する。
【００２５】
図１及び図３に示すように、シリンダブロック１１の中心部に貫設された収容孔２１内には筒状の遮断体２２がスライド可能に収容されている。遮断体２２と収容孔２１の端面との間に介在された吸入通路開放ばね２６は、遮断体２２を斜板２０側へ付勢している。回転軸１８の後端部はラジアルベアリング２７及び遮断体２２を介して収容孔２１の周面で支持される。リヤハウジング１３の中心部に形成された吸入通路３１は収容孔２１に接続している。遮断体２２の先端面が弁形成プレート１５に当接することにより遮断体２２が斜板２０から離間する方向への移動を規制される。斜板２０が遮断体２２側へ移動するに伴い、斜板２０の傾動がスラストベアリング３７を介して遮断体２２に伝達する。斜板２０の回転はスラストベアリング３７の存在によって遮断体２２への伝達を阻止される。この傾動伝達により遮断体２２が吸入通路開放ばね２６のばね力に抗して弁形成プレート１５側へ移動し、図３に示すように、遮断体２２が弁形成プレート１５に当接する。斜板２０の最小傾角は遮断体２２と弁形成プレート１５との当接によって規定される。図３は斜板２０の最小傾角状態を示す。図１は斜板２０の最大傾角状態を示す。斜板２０の最大傾角は斜板２０と回転支持体１９との当接により規定される。
【００２６】
シリンダブロック１１に貫設されたシリンダボア１１１内にはピストン２８が収容されている。斜板２０の回転運動はシュー２９を介してピストン２８の前後往復運動に変換され、ピストン２８がシリンダボア１１１内を前後動する。
【００２７】
図５に示すように、リヤハウジング１３内には吸入圧領域となる吸入室１３１の及びその周囲に吐出圧領域となる吐出室１３２が区画形成されている。バルブプレート１４には吸入ポート１４１及び吐出ポート１４２が形成されている。弁形成プレート１５上には吸入弁１５１が形成されており、弁形成プレート１６上には吐出弁１６１が形成されている。吸入室１３１内の冷媒はピストン２８の復動動作により吸入ポート１４１から吸入弁１５１を押し退けてシリンダボア１１１内へ流入する。シリンダボア１１１内へ流入した冷媒はピストン２８の往動動作により吐出ポート１４２から吐出弁１６１を押し退けて吐出室１３２へ吐出される。吐出弁１６１はリテーナ形成プレート１７上のリテーナ１７１に当接して開度規制される。
【００２８】
回転支持体１９とフロントハウジング１２との間に介在されたスラストベアリング３２は、シリンダボア１１１からピストン２８、シュー２９、斜板２０及びガイドピン２３，２４を介して回転支持体１９に作用する圧縮反力を受け止める。
【００２９】
回転軸１８内の通路５０は制御圧室１２１と遮断体２２の筒内とを連通している。図３に示すように、遮断体２２の周面に貫設された放圧通口２２１は遮断体２２の筒内と収容孔２１とを連通している。
【００３０】
吸入室１３１は通口１４３を介して収容孔２１に連通している。遮断体２２が弁形成プレート１５に当接すると、通口１４３は吸入通路３１から遮断される。吸入室１３１へ冷媒を導入する吸入通路３１と吐出室１３２とは外部冷媒回路３３で接続されている。外部冷媒回路３３上には凝縮器３４、膨張弁３５及び蒸発器３６が介在されている。膨張弁３５は蒸発器３６の出口側のガス温度の変動に応じて冷媒流量を制御する。
【００３１】
吐出室１３２と制御圧室１２１とを接続する冷媒供給通路３８上には図２に示す電気式容量制御弁３９が介在されている。冷媒供給通路３８は吐出圧領域である吐出室１３２の冷媒を制御圧室１２１へ供給する通路である。容量制御弁３９内の感圧手段４７を構成するベローズ４０には吸入室１３１内の圧力（吸入圧）が作用している。吸入室１３１内の吸入圧は熱負荷を反映している。ベローズ４０には弁体４１が接続されており、弁体４１は弁孔４２を開閉する。ベローズ４０内の大気圧及び感圧手段４７を構成する感圧ばね４０１のばね力は、弁孔４２を開く方向へ弁体４１に作用する。容量制御弁３９のソレノイド４３を構成する固定鉄芯４３１は、コイル４３２への電流供給による励磁に基づいて可動鉄芯４３３を引き付ける。即ち、ソレノイド４３の電磁駆動力は、開放付勢ばね４８のばね力に抗して弁孔４２を閉じる方向へ弁体４１を付勢する。追従ばね４９は可動鉄芯４３３を固定鉄芯４３１側へ付勢する。ソレノイド４３は制御コンピュータＣ１の電流供給制御を受ける。
【００３２】
制御コンピュータＣ１は、空調装置作動スイッチ４４のＯＮによってソレノイド４３に電流を供給し、空調装置作動スイッチ４４のＯＦＦによって電流供給を停止する。制御コンピュータＣ１には室温設定器４５及び室温検出器４６が信号接続されている。制御コンピュータＣ１は、室温設定器４５によって設定された目標室温情報及び室温検出器４６によって検出された検出室温情報に基づいてソレノイド４３に対する供給電流値を制御する。弁孔４２における開閉具合、即ち弁開度は、ソレノイド４３で生じる電磁駆動力、追従ばね４９のばね力、開放付勢ばね４８のばね力、感圧手段４７の付勢力のバランスによって決まり、容量制御弁３９は、ソレノイド４３に供給される電流値に応じた吸入圧をもたらす制御を行なう。
【００３３】
供給電流値が高められると弁開度が減少し、吐出室１３２から制御圧室１２１への冷媒供給量が減る。制御圧室１２１内の冷媒は、通路５０、放圧通口２２１及び通口１４３という冷媒抜き出し通路を介して吸入室１３１へ流出しているため、制御圧室１２１内の圧力が下がる。従って、斜板２０の傾角が増大して吐出容量が増える。吐出容量の増大は吸入圧の低下をもたらす。供給電流値が下げられると弁開度が増大し、吐出室１３２から制御圧室１２１への冷媒供給量が増える。従って、制御圧室１２１内の圧力が上がり、斜板２０の傾角が減少して吐出容量が減る。吐出容量の減少は吸入圧の増大をもたらす。
【００３４】
ソレノイド４３に対する供給電流値が零になると弁開度が最大となり、図３に示すように斜板２０の傾角が最小となる。斜板２０の傾角が最小になったときには遮断体２２が吸入通路３１を閉じ、外部冷媒回路３３における冷媒循環が停止する。この冷媒循環停止状態は熱負荷低減作用の停止状態である。
【００３５】
斜板２０の最小傾角は０°よりも僅かに大きくしてある。斜板２０の最小傾角は０°ではないため、斜板傾角が最小の状態においてもシリンダボア１１１から吐出室１３２への吐出は行われている。シリンダボア１１１から吐出室１３２へ吐出された冷媒は冷媒供給通路３８を通って制御圧室１２１へ流入する。制御圧室１２１内の冷媒は、通路５０、放圧通口２２１及び通口１４３という冷媒抜き出し通路を通って吸入室１３１へ流出し、吸入室１３１内の冷媒はシリンダボア１１１内へ吸入されて吐出室１３２へ吐出される。即ち、斜板傾角が最小状態では、吐出圧領域である吐出室１３２、冷媒供給通路３８、制御圧室１２１、前記冷媒抜き出し通路、吸入圧領域である吸入室１３１、シリンダボア１１１を経由する循環通路が圧縮機内にできている。そして、吐出室１３２、制御圧室１２１及び吸入室１３１の間では圧力差が生じている。従って、冷媒が前記循環通路を循環し、冷媒と共に流動する潤滑油が圧縮機内を潤滑する。
【００３６】
ソレノイド４３に対する電流供給を再開すると弁開度が小さくなり、制御圧室１２１内の圧力が下がる。従って、斜板２０の傾角が最小傾角から増大してゆく。斜板２０の傾角が最小傾角から増大すると遮断体２２が弁形成プレート１５から離間し、冷媒が吸入通路３１から吸入室１３１へ流入する。即ち、外部冷媒回路３３における冷媒循環が再開される。
【００３７】
制御コンピュータＣ１は、空調装置作動スイッチ４４のＯＮに伴う容量制御弁３９に対する電流供給の開始の際には緩衝用電流供給開始制御を行なう。又、制御コンピュータＣ１は、空調装置作動スイッチ４４のＯＦＦに伴う容量制御弁３９に対する電流供給の停止の際には緩衝用電流供給停止制御を行なう。
【００３８】
電流供給開始指令手段となる空調装置作動スイッチ４４をＯＮ操作すると、図６に示すように、電流供給開始指令信号Ｓ１が制御コンピュータＣ１に出力される。緩衝用電流供給開始制御手段となる制御コンピュータＣ１は、電流供給開始指令信号Ｓ１の入力に応答して室温設定器４５によって設定された目標室温と、室温検出器４６によって検出された検出温度との比較に基づいて容量制御弁３９に対する指定供給電流値Ｉｘを割り出す。供給電流値指定手段となる制御コンピュータＣ１は、図６の曲線Ｅのうちの上り傾斜部Ｅ１で示すように供給電流値を零から指定供給電流値Ｉｘまで徐々に増大させる緩衝用電流供給開始制御を行なう。緩衝用電流供給開始制御が行われると、容量制御弁３９の弁開度が徐々に減少してゆき、制御圧室１２１内の圧力が徐々に低下してゆく。制御圧室１２１内の緩慢な圧力低下に伴い、斜板２０の傾角が図６の曲線Ｋのうちの上り傾斜部Ｋ１で示すように最小傾角から徐々に増大してゆき、吐出容量が徐々に増大してゆく。斜板２０の傾角が最小傾角から増大すると、外部冷媒回路３３における冷媒循環が行われ、吸入圧が低下してゆく。図６の曲線Ｐのうちの平坦部Ｐ１は空調装置作動スイッチ４４のＯＮ前の吸入圧を表し、曲線Ｐのうちの下り傾斜部Ｐ２は斜板２０の最小傾角からの緩慢な傾角増大に伴う吸入圧変動を表す。
【００３９】
供給電流値が指定供給電流値Ｉｘになると、斜板２０が指定供給電流値Ｉｘに対応する傾角位置へ移行すると共に、吸入圧が指定供給電流値Ｉｘに対応する吸入圧へ収束する。図６の曲線Ｐのうちの平坦部Ｐ３は指定供給電流値Ｉｘに対応する吸入圧を表す。
【００４０】
電流供給停止指令手段となる空調装置作動スイッチ４４をＯＦＦ操作すると、図６に示すように、電流供給停止指令信号Ｓ２が制御コンピュータＣ１に出力される。緩衝用電流供給停止制御手段となる制御コンピュータＣ１は、電流供給停止指令信号Ｓ２の入力に応答して図６の曲線Ｅのうちの下り傾斜部Ｅ２で示すように供給電流値を電流供給停止指令信号Ｓ２の入力時の供給電流値Ｉｙから供給電流値零まで徐々に減少させる緩衝用電流供給停止制御を行なう。緩衝用電流供給停止制御が行われると、容量制御弁３９の弁開度が徐々に増大してゆき、制御圧室１２１内の圧力が徐々に高くなってゆく。制御圧室１２１内の緩慢な圧力上昇に伴い、斜板２０の傾角が図６の曲線Ｋのうちの下り傾斜部Ｋ２で示すように電流供給停止指令信号Ｓ２の入力時の傾角から徐々に減少してゆき、吐出容量が徐々に減少してゆく。斜板２０の傾角が電流供給停止指令信号Ｓ２の入力時の傾角から減少すると吐出容量が減ってゆき、吸入圧が上昇してゆく。図６の曲線Ｐのうちの平坦部Ｐ４は空調装置作動スイッチ４４のＯＦＦ前の吸入圧を表し、曲線Ｐのうちの上り傾斜部Ｐ５は斜板２０の電流供給停止指令信号Ｓ２の入力時の傾角からの緩慢な傾角減少に伴う吸入圧変動を表す。
【００４１】
供給電流値が零になると、斜板２０が最小傾角位置へ移行すると共に、外部冷媒回路３３における冷媒循環が停止する。図６の曲線Ｐのうちの平坦部Ｐ６は外部冷媒回路３３における冷媒循環停止後の吸入圧を表す。
【００４２】
以上のような容量可変動作を行なう第１の実施の形態では以下の効果が得られる。
（１-1）空調装置作動スイッチ４４のＯＮ操作によって電気式容量制御弁３９に対する電流供給が開始されるときには、供給電流値零から指定された指定供給電流値まで供給電流値を徐々に増大する緩衝用電流供給開始制御が行なわれる。緩慢な供給電流値の増大は斜板２０の傾角の急激な増大を抑制する。斜板２０の傾角の急激な増大は、斜板２０の最大傾角を規定する回転支持体１９と斜板２０との衝突をもたらし、衝突音が発生する。供給電流値の緩慢な増大具合は、斜板２０の傾角の増大が供給電流値の増大に対応して追随するように設定されている。このような斜板２０の傾角の急激な増大の抑制は、指定供給電流値に対応した傾角位置からの斜板２０のオーバーランを抑制する。指定供給電流値が最大傾角に対応する場合には、斜板２０の最大傾角位置での傾角増大速度が抑制される。その結果、衝突音をもたらすような回転支持体１９と斜板２０との衝突が回避される。
【００４３】
（１-2）空調装置作動スイッチ４４のＯＦＦ操作によって電気式容量制御弁３９に対する電流供給が停止されるときには、空調装置作動スイッチ４４のＯＦＦ直前の指定供給電流値から供給電流値零まで供給電流値を徐々に減少する緩衝用電流供給停止制御が行なわれる。緩慢な供給電流値の減少は斜板２０の傾角の急激な減少を抑制する。斜板２０の傾角の急激な減少は、斜板２０の最小傾角を規定する弁形成プレート１５と斜板２０に連動する遮断体２２との衝突をもたらし、衝突音が発生する。供給電流値の緩慢な減少具合は、斜板２０の傾角の減少が供給電流値の減少に対応して追随するように設定されている。このような斜板２０の傾角の急激な減少の抑制は、斜板２０の最小傾角位置での傾角減少速度を抑制する。斜板２０の最小傾角位置での傾角減少速度の抑制は、衝突音をもたらすような弁形成プレート１５と遮断体２２との衝突の回避をもたらす。
【００４４】
次に、図７及び図８の第２の実施の形態を説明する。第１の実施の形態と同じ構成部には同じ符号が付してある。
この実施の形態では、吸入室１３１内の吸入圧が圧力検出器５１によって検出されるようになっており、制御圧室１２１内の制御圧が圧力検出器５２によって検出されるようになっている。両圧力検出器５１，５２は検出情報を制御コンピュータＣ２へ送る。制御コンピュータＣ２には（吸入圧−供給電流値）マップ及び（制御圧−供給電流値）マップが記憶されている。制御コンピュータＣ２は、空調装置作動スイッチ４４のＯＮに伴う容量制御弁３９に対する電流供給の開始の際には（吸入圧−供給電流値）マップ及び圧力検出器５１から得られる圧力検出情報を利用した緩衝用電流供給開始制御を行なう。又、制御コンピュータＣ２は、空調装置作動スイッチ４４のＯＦＦに伴う容量制御弁３９に対する電流供給の停止の際には（制御圧−供給電流値）マップ及び圧力検出器５２から得られる圧力検出情報を利用した緩衝用電流供給停止制御を行なう。
【００４５】
電流供給開始指令手段となる空調装置作動スイッチ４４をＯＮ操作すると、図８に示すように、電流供給開始指令信号Ｓ１が制御コンピュータＣ２に出力される。緩衝用電流供給開始制御手段となる制御コンピュータＣ２は、電流供給開始指令信号Ｓ１の入力に応答して室温設定器４５によって設定された目標室温と、室温検出器４６によって検出された検出温度との比較に基づいて容量制御弁３９に対する指定供給電流値Ｉｘを割り出す。又、供給電流値指定手段となる制御コンピュータＣ２は、指定供給電流値Ｉｘ、圧力検出器５１から得られる検出圧力、及び（吸入圧−供給電流値）マップに基づいて増大飛躍限界供給電流値Ｉｚを割り出す。（吸入圧−供給電流値）マップは、吸入圧及び供給電流値を変数として増大飛躍限界供給電流値Ｉｚを求めるマップである。
【００４６】
制御コンピュータＣ２は、図８の曲線Ｄのうちの垂直線Ｄ１で示すように供給電流値を零から増大飛躍限界供給電流値Ｉｚへ不連続的に切り換え、次いで上り傾斜部Ｄ２で示すように供給電流値を増大飛躍限界供給電流値Ｉｚから指定供給電流値Ｉｘまで徐々に増大させる緩衝用電流供給開始制御を行なう。緩衝用電流供給開始制御が行われると、容量制御弁３９の弁開度が増大飛躍限界供給電流値Ｉｚに対応した弁開度まで瞬間的に変化してから徐々に減少してゆき、制御圧室１２１内の圧力が増大飛躍限界供給電流値Ｉｚからの供給電流値の緩慢な増大に追随するような状態で徐々に低下してゆく。制御圧室１２１内の緩慢な圧力低下に伴い、斜板２０の傾角が図８の曲線Ｈのうちの上り傾斜部Ｈ１で示すように最小傾角から徐々に増大してゆき、吐出容量が徐々に増大してゆく。斜板２０の緩慢な傾角増大は、増大飛躍限界供給電流値Ｉｚからの供給電流値の緩慢な減少に追随するような状態で行われる。斜板２０の傾角が最小傾角から増大すると、外部冷媒回路３３における冷媒循環が行われ、吸入圧が低下してゆく。図８の曲線Ｑのうちの平坦部Ｑ１は空調装置作動スイッチ４４のＯＮ前の吸入圧を表し、曲線Ｑのうちの下り傾斜部Ｑ２は斜板２０の最小傾角からの緩慢な傾角増大に伴う吸入圧変動を表す。
【００４７】
供給電流値が指定供給電流値Ｉｘになると、斜板２０が指定供給電流値Ｉｘに対応する傾角位置へ移行すると共に、吸入圧が指定供給電流値Ｉｘに対応する吸入圧へ収束する。図８の曲線Ｑのうちの平坦部Ｑ３は指定供給電流値Ｉｘに対応する吸入圧を表す。
【００４８】
空調装置作動スイッチ４４をＯＦＦ操作すると、図８に示すように、電流供給停止指令信号Ｓ２が制御コンピュータＣ２に出力される。緩衝用電流供給停止制御手段となる制御コンピュータＣ２は、電流供給停止指令信号Ｓ２の入力に応答して、空調装置作動スイッチ４４のＯＦＦ時の指定供給電流値、圧力検出器５２から得られる検出制御圧、及び（制御圧−供給電流値）マップに基づいて減少飛躍限界供給電流値Ｉｗを割り出す。（制御圧−供給電流値）マップは、制御圧及び供給電流値を変数として減少飛躍限界供給電流値Ｉｗを求めるマップである。
制御コンピュータＣ２は、図８の曲線Ｄのうちの垂直線Ｄ３で示すように供給電流値を空調装置作動スイッチ４４のＯＦＦ直前の指定供給電流値Ｉｙから減少飛躍限界供給電流値Ｉｗへ不連続的に切り換え、次いで下り傾斜部Ｄ４で示すように供給電流値を減少飛躍限界供給電流値Ｉｗから零まで徐々に減少させる緩衝用電流供給停止制御を行なう。緩衝用電流供給停止制御が行われると、容量制御弁３９の弁開度が減少飛躍限界供給電流値Ｉｗに対応した弁開度まで瞬間的に変化してから徐々に増大してゆき、制御圧室１２１内の圧力が減少飛躍限界供給電流値Ｉｗからの供給電流値の緩慢な減少に追随するような状態で徐々に上昇してゆく。制御圧室１２１内の緩慢な圧力上昇に伴い、斜板２０の傾角が図８の曲線Ｈのうちの下り傾斜部Ｈ２で示すように電流供給停止指令信号Ｓ２の入力時の傾角から徐々に減少してゆく。斜板２０の傾角が電流供給停止指令信号Ｓ２の入力時の傾角から減少すると吐出容量が減ってゆき、吸入圧が上昇してゆく。図８の曲線Ｑのうちの平坦部Ｑ４は空調装置作動スイッチ４４のＯＦＦ前の吸入圧を表し、曲線Ｑのうちの上り傾斜部Ｑ５は斜板２０の電流供給停止指令信号Ｓ２の入力時の傾角からの緩慢な傾角減少に伴う吸入圧変動を表す。
【００４９】
供給電流値が零になると、斜板２０が最小傾角位置へ移行すると共に、外部冷媒回路３３における冷媒循環が停止する。図８の曲線Ｑのうちの平坦部Ｑ６は外部冷媒回路３３における冷媒循環停止後の吸入圧を表す。
【００５０】
第２の実施の形態では以下の効果が得られる。
（２-1）空調装置作動スイッチ４４のＯＮ操作によって電気式容量制御弁３９に対する電流供給が開始されるときには、圧力検出器５１と共に増大飛躍限界供給電流値指定手段を構成する制御コンピュータＣ２が検出吸入圧に応じた増大飛躍限界供給電流値を指定する。そして、制御コンピュータＣ２は、供給電流値を零から増大飛躍限界供給電流値Ｉｚまで不連続的に増大し、次いで増大飛躍限界供給電流値Ｉｚから指定された指定供給電流値まで供給電流値を徐々に増大する緩衝用電流供給開始制御を行なう。増大飛躍限界供給電流値Ｉｚは、斜板２０と回転支持体１９との衝突をもたらさないような供給電流値の零からの不連続的な増大量の限界値であって吸入圧に左右される。即ち、供給電流値を零から検出吸入圧に対応した増大飛躍限界供給電流値Ｉｚよりも高い値に不連続的に増大させた場合には斜板２０が回転支持体１９に衝突して衝突音が発生する。供給電流値を零から増大飛躍限界供給電流値Ｉｚへ不連続的に増大させた場合には、斜板２０の最小傾角からの傾角増大が衝突音をもたらすことなく速やかに行われ、容量復帰が速やかに行われる。
【００５１】
（２-2）空調装置作動スイッチ４４のＯＦＦ操作によって電気式容量制御弁３９に対する電流供給が停止されるときには、圧力検出器５２と共に減少飛躍限界供給電流値指定手段を構成する制御コンピュータＣ２が検出制御圧に応じた減少飛躍限界供給電流値を指定する。そして、制御コンピュータＣ２は、空調装置作動スイッチ４４のＯＦＦ直前の指定供給電流値から減少飛躍限界供給電流値Ｉｗまで供給電流値を不連続的に減少し、次いで減少飛躍限界供給電流値Ｉｗから供給電流値零まで供給電流値を徐々に減少する緩衝用電流供給停止制御を行なう。減少飛躍限界供給電流値Ｉｗは、遮断体２２と弁形成プレート１５との衝突をもたらさないような指定供給電流値Ｉｙからの不連続的な減少量の限界値であって検出制御圧に左右される。即ち、供給電流値を指定供給電流値Ｉｙから検出制御圧に対応した減少飛躍限界供給電流値Ｉｗよりも低い値に不連続的に減少させた場合には遮断体２２が弁形成プレート１５に衝突して衝突音が発生する。供給電流値を指定供給電流値Ｉｙから減少飛躍限界供給電流値Ｉｗへ不連続的に減少させた場合には、斜板２０の最小傾角位置への移行が衝突音をもたらすことなく速やかに行われる。
【００５２】
次に、図９及び図１０の第３の実施の形態を説明する。第１の実施の形態と同じ構成部には同じ符号が付してある。
この実施の形態では、電気式容量制御弁５３のソレノイド５３１が励磁されると弁体５３２が弁孔５３３を閉じ、斜板２０が最大傾角位置に移行する。ソレノイド５３１が消磁されると弁体５３２が弁開度最大位置へ移行し、斜板２０が最小傾角位置へ移行する。電流供給開始指令手段及び電流供給停止指令手段となる空調装置作動スイッチ４４がＯＮされると、制御コンピュータＣ３はソレノイド５３１を励磁する。ソレノイド５３１が励磁しているときに空調装置作動スイッチ４４がＯＦＦされると、制御コンピュータＣ３はソレノイド５３１を消磁する。空調装置作動スイッチ４４がＯＮ状態において、制御コンピュータＣ３は、室温検出器４６によって得られた検出温度が室温設定器４５によって設定された目標室温以下になるとソレノイド５３１の消磁を指令する。制御コンピュータＣ３は、検出温度が目標室温を越えるとソレノイド５３１の励磁を指令する。室温検出器４６及び制御コンピュータＣ３は、電流供給開始指令手段及び電流供給停止指令手段を構成する。
【００５３】
ソレノイド５３１を励磁するときには、制御コンピュータＣ３は図１０の曲線Ｆの上り傾斜部Ｆ１で示す緩衝用電流供給開始制御を行なう。供給電流値の最大値は指定供給電流値となる。信号Ｓ３は、空調装置作動スイッチ４４のＯＮ操作時あるいは検出温度が目標室温を越えたときの電流供給開始指令を表す。曲線Ｇの上り傾斜部Ｇ１は供給電流値の増大に伴う斜板２０の傾角増大を表し、曲線Ｒの下り傾斜部Ｒ１は斜板２０の傾角増大に伴う吸入圧の低下を表す。
【００５４】
ソレノイド５３１を消磁するときには、制御コンピュータＣ３は図１０の曲線Ｆの下り傾斜部Ｆ２で示す緩衝用電流供給停止制御を行なう。信号Ｓ４は、空調装置作動スイッチ４４のＯＦＦ操作時あるいは検出温度が目標室温以下になったときの電流供給停止指令を表す。曲線Ｇの下り傾斜部Ｇ２は供給電流値の減少に伴う斜板２０の傾角減少を表し、曲線Ｒの上り傾斜部Ｒ２は斜板２０の傾角減少に伴う吸入圧の上昇を表す。
【００５５】
この実施の形態においても、斜板２０の最大傾角位置における斜板２０の傾角増大速度が抑制され、斜板２０と回転支持体１９との衝突が抑制される。又、斜板２０の最小傾角位置における斜板２０の傾角減少速度が抑制され、遮断体２２と弁形成プレート１５との衝突が抑制される。
【００５６】
本発明では以下のような実施の形態も可能である。
（１）第１の実施の形態において、電流供給開始時には、斜板２０の最大傾角位置における傾角増大速度を抑制するように供給電流値を零から最大値あるいは最大値付近まで連続的に増大した後に指定供給電流値まで連続的に減少させること。このようにすれば容量復帰が早くなる。
（２）制御圧室から吸入圧領域へ冷媒を抜き出す通路上に容量制御弁を介在した可変容量型圧縮機に本発明を適用すること。
（３）供給電流値をデューティ比制御すること。この場合、単位時間当たりの平均供給電流値を供給電流値と見なす。
（４）外部駆動源からクラッチを介して回転軸に駆動力を伝えるクラッチ付き可変容量型圧縮機に本発明を適用すること。
【００５７】
【発明の効果】
以上詳述したように、電気式容量制御弁に対する電流供給を開始するときには、指定された供給電流値を供給開始するまでの過程として前記斜板の最大傾角位置での傾角増大速度を抑制するための緩衝用電流供給開始制御を行なうようにした発明では、斜板の最大傾角位置への不要な到達を回避して衝突音の発生を回避し、さらに斜板が最大傾角位置にきたときの衝突音を抑制し得るという優れた効果を奏する。
【００５８】
電気式容量制御弁に対する電流供給を停止するときには、供給電流値を零とするまでの過程として前記斜板の最小傾角位置での傾角減少速度を抑制するための緩衝用電流供給停止制御を行なうようにした発明では、斜板が最小傾角位置にきたときの衝突音を抑制し得るという優れた効果を奏する。
【図面の簡単な説明】
【図１】第１の実施の形態を示す圧縮機全体の側断面図。
【図２】電気式容量制御弁３９の縦断面図。
【図３】斜板傾角が最小状態にある要部側断面図。
【図４】図１のＡ−Ａ線断面図。
【図５】図１のＢ−Ｂ線断面図。
【図６】供給電流値、斜板傾角、吸入圧の関係を示すグラフ。
【図７】第２の実施の形態を示す圧縮機全体の側断面図。
【図８】供給電流値、斜板傾角、吸入圧の関係を示すグラフ。
【図９】第３の実施の形態を示す圧縮機全体の側断面図。
【図１０】供給電流値、斜板傾角、吸入圧の関係を示すグラフ。
【符号の説明】
１２１…制御圧室、１３１…吸入圧領域となる吸入室、１３２…吐出圧領域となる吐出室、１８…回転軸、２０…斜板、３８…冷媒供給通路、３９…電気式容量制御弁、４４…電流供給開始指令手段及び電流供給停止指令手段となる空調装置作動スイッチ、Ｃ１…緩衝用電流供給開始制御手段、緩衝用電流供給停止制御手段及び供給電流値指定手段となる制御コンピュータ、Ｃ２…緩衝用電流供給開始制御手段、緩衝用電流供給停止制御手段、供給電流値指定手段、増大飛躍限界供給電流値指定手段、及び減少飛躍限界供給電流値指定手段となる制御コンピュータ、Ｃ３…緩衝用電流供給開始制御手段及び緩衝用電流供給停止制御手段となる制御コンピュータ。
【図１】
0004089063.tif 000002
【図２】
0004089063.tif 000003
【図３】
0004089063.tif 000004
【図４】
0004089063.tif 000005
【図５】
0004089063.tif 000006
【図６】
0004089063.tif 000007
【図７】
0004089063.tif 000008
【図８】
0004089063.tif 000009
【図９】
0004089063.tif 000010
【図１０】
0004089063.tif 000011